【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
少なくとも１種の光触媒及び少なくとも１種のアゾ色素及び／又は少なくとも１種のトリフェニルメタン色素を含む組成物であって、２２０−３２０°の相対色相角を示し、かつ該組成物が光に曝露される場合、該色素成分が分解する組成物。
【請求項２】
前記光触媒が、式
【化１】
2007501306.tif 000001
（式中、
ＰＣは、フタロシアニン環系を表わし；
Ｍｅは、Ｚｎ；Ｆｅ（ＩＩ）；Ｃａ；Ｍｇ；Ｎａ；Ｋ；Ａｌ−Ｚ1；Ｓｉ（ＩＶ）；Ｐ（Ｖ）；Ｔｉ（ＩＶ）；Ｇｅ（ＩＶ）；Ｃｒ（ＩＶ）；Ｇａ（ＩＩＩ）；Ｚｒ（ＩＶ）；Ｉｎ（ＩＩＩ）；Ｓｎ（ＩＶ）又はＨｆ（ＶＩ）を表わし；
Ｚ1は、ハリド；スルフェート；ニトレート；カルボキシレート；アルカノレート；又はヒドロキシルイオンを表わし；
ｑは、０；１又は２を表わし；
ｒは、１ないし４を表わし；
Ｑ1は、スルホ基又はカルボキシル基；又は式−ＳＯ2Ｘ2−Ｒ1−Ｘ3+；−Ｏ−Ｒ1−Ｘ3+；又は−（ＣＨ2）t−Ｙ1+で表わされる基を表わし；
ここで、
Ｒ1は、枝分かれした又は枝分かれしていない炭素原子数１ないし８のアルキレン基；又は１，３−又は１，４−フェニレン基を表わし；
Ｘ2は、−ＮＨ−；又は−Ｎ−炭素原子数１ないし５のアルキル基を表わし；
Ｘ3+は、式
【化２】
2007501306.tif 000002
で表わされる基を表わすか；又は、Ｒ1＝炭素原子数１ないし８のアルキレン基の場合はまた、式
【化３】
2007501306.tif 000003
で表わされる基を表わし；
Ｙ1+は、式
【化４】
2007501306.tif 000004
で表わされる基を表わし；
ｔは、０又は１を表わし；
上記各式において、
Ｒ2及びＲ3は、互いに独立して、炭素原子数１ないし６のアルキル基を表わし；
Ｒ4は、炭素原子数１ないし６のアルキル基；炭素原子数５ないし７のシクロアルキル基又はＮＲ7Ｒ8を表わし；
Ｒ5及びＲ6は、互いに独立して、炭素原子数１ないし５のアルキル基を表わし；
Ｒ7及びＲ8は、互いに独立して、水素原子又は炭素原子数１ないし５のアルキル基を表わし；
Ｒ9及びＲ10は、互いに独立して、未置換の炭素原子数１ないし６のアルキル基又はヒドロキシル基、シアノ基、カルボキシル基、カルブ−炭素原子数１ないし６のアルコキシ基（ｃａｒｂ−Ｃ1−Ｃ6ａｌｋｏｘｙ）、炭素原子数１ないし６のアルコキシ基、フェニル基、ナフチル基又はピリジル基で置換された炭素原子数１ないし６のアルキル基を表わし；
ｕは、１ないし６を表わし；
Ａ1は、芳香族の５ないし７員の窒素複素環を完成させる単位であって、そしてそれは、適当であれば、環員として、１又は２つの更なる窒素原子もまた含み得り；
Ｂ1は、飽和した５ないし７員の窒素複素環を完成させる単位であって、そしてそれは、適当であれば、環員として、１又は２つの窒素原子、酸素原子及び／又は硫黄原子もまた含み得り、
Ｑ2は、ヒドロキシル基；炭素原子数１ないし２２のアルキル基；枝分かれした炭素原子数３ないし２２のアルキル基；炭素原子数２ないし２２のアルケニル基；枝分かれした炭素原子数３ないし２２のアルケニル基及びそれらの混合物；炭素原子数１ないし２２のアルコキシ基；スルホ基又はカルボキシル基；式
【化５】
2007501306.tif 000005
で表わされる基；
式
【化６】
2007501306.tif 000006
で表わされる枝分かれしたアルコキシ基；式−（Ｔ1）d−（ＣＨ2）b（ＯＣＨ2ＣＨ2）a−Ｂ3で表わされるアルキルエチレンオキシ単位又は式ＣＯＯＲ18で表わされるエステルを表わし；
ここで、
Ｂ2は、水素原子；ヒドロキシル基；炭素原子数１ないし３０のアルキル基；炭素原子数１ないし３０のアルコキシ基；−ＣＯ2Ｈ；−ＣＨ2ＣＯＯＨ；−ＳＯ3-Ｍ1；−ＯＳＯ3-Ｍ1；−ＰＯ32-Ｍ1；−ＯＰＯ32-Ｍ1；及びそれらの混合物を表わし；
Ｂ3は、水素原子；ヒドロキシル基；−ＣＯＯＨ；−ＳＯ3-Ｍ1；−ＯＳＯ3-Ｍ1又は炭素原子数１ないし６のアルコキシ基を表わし；
Ｍ1は、水溶性カチオンを表わし；
Ｔ1は、−Ｏ−；又は−ＮＨ−を表わし；
Ｘ1及びＸ4は、互いに独立して、−Ｏ−；−ＮＨ−又は−Ｎ−炭素原子数１ないし５のアルキル基を表わし；
Ｒ11及びＲ12は、互いに独立して、水素原子；スルホ基及びその塩；カルボキシル基及びその塩又はヒドロキシル基を表わし；基Ｒ11及びＲ12の少なくとも１つは、スルホ基又はカルボキシル基又はその塩を表わし、
Ｙ2は、−Ｏ−；−Ｓ−；−ＮＨ−又は−Ｎ−炭素原子数１ないし５のアルキル基を表わし；
Ｒ13及びＲ14は、互いに独立して、水素原子；炭素原子数１ないし６のアルキル基；ヒドロキシ−炭素原子数１ないし６のアルキル基；シアノ−炭素原子数１ないし６のアルキル基；スルホ−炭素原子数１ないし６のアルキル基；カルボキシ−又はハロゲン−炭素原子数１ないし６のアルキル基；未置換のフェニル基又はハロゲン原子、炭素原子数１ないし４のアルキル基又は炭素原子数１ないし４のアルコキシ基によって置換されたフェニル基；スルホ基又はカルボキシル基を表わすか、又はＲ13及びＲ14は、それらが結合されるところの窒素原子と一緒になって、飽和した５−又は６−員複素環を形成し、該複素環はまた、環員として、窒素原子又は酸素原子を更に含み得り；
Ｒ15及びＲ16は、互いに独立して、炭素原子数１ないし６のアルキル基又はアリール−炭素原子数１ないし６のアルキル基を表わし；
Ｒ17は、水素原子；未置換の炭素原子数１ないし６のアルキル基又はハロゲン原子、ヒドロキシル基、シアノ基、フェニル基、カルボキシル基、カルブ−炭素原子数１ないし６のアルコキシ基又は炭素原子数１ないし６のアルコキシ基で置換された炭素原子数１ないし６のアルキル基を表わし；
Ｒ18は、炭素原子数１ないし２２のアルキル基；枝分かれした炭素原子数３ないし２２のアルキル基；炭素原子数１ないし２２のアルケニル基又は枝分かれした炭素原子数３ないし２２のアルケニル基；炭素原子数３ないし２２のグリコール基；炭素原子数１ないし２２のアルコキシ基；枝分かれした炭素原子数３ないし２２のアルコキシ基；及びそれらの混合物を表わし；
Ｍは、水素原子；又はアルカリ金属イオン又はアンモニウムイオンを表わし；
Ｚ2-は、塩素原子；臭素原子；アルキル硫酸イオン又はアラルキル硫酸イオンを表わし；
ａは、０又は１を表わし；
ｂは、０ないし６を表わし；
ｃは、０ないし１００を表わし；
ｄは、０；又は１を表わし；
ｅは、０ないし２２を表わし；
ｖは、２ないし１２の整数を表わし；
ｗは、０又は１を表わし；
Ａ-は、有機又は無機アニオンを表わし、
ｓは、Ａ-が一価アニオンの場合、ｒと等しく、Ａ-が多価アニオンの場合、≦ｒであり、Ａs-は陽電荷を相殺する必要があり；ここで、ｒ≠１の場合、基Ｑ1は、同一であるか又は異なり得る。）で表わされる水溶性フタロシアニンであり、かつフタロシアニン環系はまた、更なる可溶性の基を含み得る、請求項１に記載の組成物。
【請求項３】
前記アゾ色素が、式
【化７】
2007501306.tif 000007
（式中、
Ｘ及びＹは、互いに独立して、それぞれ、水素原子；炭素原子数１ないし４のアルキル基又は炭素原子数１ないし４のアルコキシ基を表わし、
Ｒαは、水素原子又はアリール基を表わし、
Ｚは、炭素原子数１ないし４のアルキル基；炭素原子数１ないし４のアルコキシ基；ハロゲン原子；ヒドロキシル基又はカルボキシル基を表わし、
ｎは、１又は２を表わし、
ｍは、０、１又は２を表わす。）で表わされる化合物、並びにそれらの相当する塩及びそれらの混合物である、請求項１又は２に記載の組成物。
【請求項４】
前記トリフェニルメタン色素が、式
【化８】
2007501306.tif 000008
【化９】
2007501306.tif 000009
で表わされる化合物である、請求項１ないし３のいずれか１項に記載の組成物。
【請求項５】
請求項１ないし４に記載の組成物を含む、粒状配合物。
【請求項６】
請求項１ないし４に記載の組成物を含む、液状配合物。
【請求項７】
洗剤配合物であって、
Ｉ）洗剤配合物の総質量に基づき、５ないし７０質量％のＡ）少なくとも１種のアニオン性界面活性剤、及び／又はＢ）少なくとも１種の非イオン性界面活性剤、
ＩＩ）洗剤配合物の総質量に基づき、５ないし６０質量％のＣ）少なくとも１種のビルダー物質、
ＩＩＩ）洗剤配合物の総質量に基づき、０ないし３０質量％のＤ）少なくとも１種のペルオキシド及び、所望により、少なくとも１種の活性剤、及び、
ＩＶ）０．００１ないし１質量％のＥ）少なくとも１種の粒質物であって、
ａ）前記粒質物の総質量に基づき、２ないし７５質量％の請求項１ないし４で定義した少なくとも１種の水溶性フタロシアニン化合物及び少なくとも１種のアゾ色素及び／又は少なくとも１種のトリフェニルメタン色素、
ｂ）前記粒質物の総質量に基づき、１０ないし９５質量％の少なくとも１種の更なる添加剤、及び
ｃ）前記粒質物の総質量に基づき、０ないし１５質量％の水
を含む粒質物、
Ｖ）０ないし６０質量％のＦ）少なくとも１種の更なる添加剤、及び、
ＶＩ）０ないし５質量％のＧ）水
を含む、洗剤配合物。
【請求項８】
（ａ）請求項１ないし４で定義した少なくとも１種の光触媒及び少なくとも１種のアゾ色素及び／又は少なくとも１種のトリフェニルメタン色素を含む組成物、及び、
（ｂ）織物柔軟剤
を含む、柔軟剤組成物。
【請求項９】
請求項１ないし８の組成物を使用した調色方法。
【請求項１０】
請求項１ないし８の組成物で処理された生地。